(57)【要約】【課題】  電磁力によりレンズ支持体を光軸方向に駆動する構成において、簡易な構成で、耐揺れ性及び耐衝撃性に優れたレンズ駆動装置を提供する。【解決手段】  本発明のレンズ駆動装置１において、前側スプリング９と後側スプリング１１は、それぞれ内周側端部９ａ、１１ａをレンズ支持体７に取り付け外周側端部９ｂ、１１ｂをヨーク３に取り付けてあり、キャップ２４は前側スプリング９の内周側端部９ａをレンズ支持体７に固定し、フレーム２３は前側スプリング９の外周側端部９ｂをヨークに固定しており、コイル１５に通電して生じる電磁力によりレンズ支持体７を前側スプリング９と後側スプリング１１の付勢力に抗してレンズ２０の光軸方向に移動するようになっており、キャップ２４とフレーム２３との隙間に前側リブ３７を設けてあるとともにレンズ支持体７とヨーク３との隙間に後側リブ３１を設けてある。【選択図】      図１
2005128405.tif 000002
【特許請求の範囲】
【請求項１】
断面略コ字形状で略円筒形を成すヨークと、ヨークが装着されるベースと、ヨークのコ字の内部に配置されたマグネットとコイルと、ヨークの内周側に配置され且つ外周に前記コイルが固定されたレンズ支持体と、内周側端部をレンズ支持体に取り付け外周側端部をヨークに取り付けた前側スプリングと後側スプリングと、前側スプリングの内周側端部をレンズ支持体に固定するキャップと、前側スプリングの外周側端部をヨークに固定するフレームとを備え、コイルに通電して生じる電磁力によりレンズ支持体を前側スプリングと後側スプリングの付勢力に抗してレンズの光軸方向に移動するレンズ駆動装置であって、
キャップとフレームとの隙間に前側リブを設けてあるとともにレンズ支持体とヨークとの隙間に後側リブを設けてあることを特徴とするレンズ駆動装置。
【請求項２】
フレームの内周面とキャップの外周面とには相互に係合して周囲方向の移動を制限するとともにレンズの光軸方向の移動を許容する係合突部と係合凹部とが形成されていることを特徴とする請求項１に記載のレンズ駆動装置。
【請求項３】
断面略コ字形状で略円筒形を成すヨークと、ヨークが装着されるベースと、ヨークのコ字の内部に配置されたマグネットとコイルと、ヨークの内周側に配置され且つ外周に前記コイルが固定されたレンズ支持体と、内周側端部をレンズ支持体に取り付け外周側端部をヨークに取り付けた前側スプリングと後側スプリングと、前側スプリングの内周側端部をレンズ支持体に固定するキャップと、前側スプリングの外周側端部をヨークに固定するフレームとを備え、コイルに通電して生じる電磁力によりレンズ支持体を前側スプリングと後側スプリングの付勢力に抗してレンズの光軸方向に移動するレンズ駆動装置であって、
フレームの内周面とキャップの外周面とには相互に係合して周囲方向の移動を制限するとともにレンズの光軸方向の移動を許容する係合突部と係合凹部とが形成されていることを特徴とするレンズ駆動装置。
【発明の詳細な説明】
【技術分野】
【０００１】
本発明は、携帯型小型カメラに用いられるオートフォーカス用レンズ駆動装置に関する。
【背景技術】
【０００２】
特許文献１には、レンズ支持体をコイルの電磁力により移動するとともに、レンズ支持体をガイド軸に挿通してレンズ支持体の移動を案内する構成が開示されている。
【０００３】
特許文献２には、レンズ支持体とフレームとの間で且つレンズ支持体の周方向に複数のスプリングを設け、フレームに対してレンズ支持体をスプリングにより支持する構成が開示されている。
【０００４】
【特許文献１】特開２００２−２３０３７号公報
【特許文献２】特開平１１−２９７０６４号公報
【発明の開示】
【発明が解決しようとする課題】
【０００５】
ところで、携帯小型カメラに用いられるレンズ駆動装置においては、小型カメラをポケットやバック等に入れて持ち歩くことが多いため、小型カメラの携帯時（非使用時）にレンズ駆動装置が揺れや衝撃が受けることがある。
【０００６】
このように揺れや衝撃に対して、特許文献１のようにレンズ支持体をガイド軸に挿通する構成では、挿通孔やガイド軸の軸径に精度が要求されるとともに、ガイド軸を設けるので部品点数が多くなるとい問題がある。
【０００７】
一方、特許文献２にあるようにフレームに対してレンズ支持体をスプリングより支持する構成では、レンズ支持体の光軸方向の移動が困難であるとともに構成が複雑になるという問題がある。特に、特許文献２のような構成では、小型カメラの場合にレンズ駆動装置の組み立てがし難いという問題がある。
【０００８】
そこで、本発明は、電磁力によりレンズ支持体を光軸方向に駆動する構成において簡易な構成で、耐揺れ性及び耐衝撃性に優れたレンズ駆動装置の提供を目的とする。
【課題を解決するための手段】
【０００９】
請求項１に記載の発明は、断面略コ字形状で略円筒形を成すヨークと、ヨークが装着されるベースと、ヨークのコ字の内部に配置されたマグネットとコイルと、ヨークの内周側に配置され且つ外周に前記コイルが固定されたレンズ支持体と、内周側端部をレンズ支持体に取り付け外周側端部をヨークに取り付けた前側スプリングと後側スプリングと、前側スプリングの内周側端部をレンズ支持体に固定するキャップと、前側スプリングの外周側端部をヨークに固定するフレームとを備え、コイルに通電して生じる電磁力によりレンズ支持体を前側スプリングと後側スプリングの付勢力に抗してレンズの光軸方向に移動するレンズ駆動装置であって、キャップとフレームとの隙間に前側リブを設けてあるとともにレンズ支持体とヨークとの隙間に後側リブを設けてあることを特徴とする。
【００１０】
請求項２に記載の発明は、請求項１に記載の発明において、フレームの内周面とキャップの外周面とには相互に係合して周囲方向の移動を制限するとともにレンズの光軸方向の移動を許容する係合突部と係合凹部とが形成されていることを特徴とする。
【００１１】
請求項３に記載の発明は、断面略コ字形状で略円筒形を成すヨークと、ヨークが装着されるベースと、ヨークのコ字の内部に配置されたマグネットとコイルと、ヨークの内周側に配置され且つ外周に前記コイルが固定されたレンズ支持体と、内周側端部をレンズ支持体に取り付け外周側端部をヨークに取り付けた前側スプリングと後側スプリングと、前側スプリングの内周側端部をレンズ支持体に固定するキャップと、前側スプリングの外周側端部をヨークに固定するフレームとを備え、コイルに通電して生じる電磁力によりレンズ支持体を前側スプリングと後側スプリングの付勢力に抗してレンズの光軸方向に移動するレンズ駆動装置であって、フレームの内周面とキャップの外周面とには相互に係合して周囲方向の移動を制限するとともにレンズの光軸方向の移動を許容する係合突部と係合凹部とが形成されていることを特徴とする。
【発明の効果】
【００１２】
請求項１に記載の発明によれば、レンズ支持体はヨークに対して光軸方向に移動するので、レンズ支持体とヨークとの間には隙間が生じているが、レンズ支持体とヨークとの間には後側リブを設けているので、径方向（レンズの光軸と交差する方向）の揺れや振動が生じた場合には、レンズ支持体とヨークとの間にある後側リブが当接して、両者の相対移動を規制する。同様に、キャップとフレームとの間の隙間においても前側リブが径方向の揺れや振動（がたつき）を規制する。
【００１３】
本発明では、レンズ支持体の光軸方向における前側と後側との２点でレンズ支持体の径方向の移動を規制しているから耐揺れや耐衝撃性に優れ、且つレンズ支持体とヨークとの隙間に高い寸法精度が要求されることなく、簡易な構成でヨークに対するレンズ支持体の光軸方向の移動を案内できる。また、部品点数が増えることなく且つ組み立ても容易にできる。
【００１４】
請求項２に記載の発明によれば、請求項１に記載の作用効果を得ることができるとともに、レンズ支持体に固定されているキャプとフレームとが係合突部と係合凹部とにより相互に係合して周方向の移動を規制して回転を防止しているので、周方向におけるずれやがたつきをも防止できる。しかも、突部と凹部とによる係合であるから、部品点数の増加もなく且つ構成が簡易である。
【００１５】
請求項３に記載の発明によれば、レンズ支持体に固定されているキャプとフレームとが係合突部と係合凹部とにより相互に係合して周方向の移動を規制しているので、周方向におけるずれやがたつきをも防止できる。しかも、突部と凹部とによる係合であるから、部品点数の増加もなく且つ構成が簡易である。
【発明を実施するための最良の形態】
【００１６】
以下に、添付図面を参照して本発明の実施の形態を説明する。図１は本発明の実施の形態にかかるレンズ駆動装置の駆動前の状態を示す断面図であり、図２は図１に示すレンズ駆動装置の分解斜視図であり、図３は図２に示すフレームを拡大して示す斜視図であり、図４は図２に示すレンズ支持体を拡大して示す斜視図であり、図５はヨークとレンズ支持体との関係を示す平面図であり、図６は図１に示すレンズ駆動装置が駆動した状態を示す断面図である。
【００１７】
本実施の形態にかかるレンズ駆動装置１は、携帯電話に組み込まれるオートフォーカスカメラのレンズ駆動装置である。
【００１８】
このレンズ駆動装置１は、略円筒形状のヨーク３と、ヨーク３が装着されるベース５と、ヨーク３の内周側に配置されるレンズ支持体７と、レンズ支持体７に取り付けられる前側スプリング９と、後側スプリング１１とを備えており、前側スプリング９はレンズ支持体７におけるレンズの光軸方向前側（一方側）に配置され後側スプリング１１はレンズの光軸方向後側（他方側）に配置されている。
【００１９】
ヨーク３は断面が略コ字形状であり、コ字の内部にマグネット１３が配置され、コ字の内部でマグネット１３の内周側にコイル１５が配置されている。マグネット１３は後方スペーサ１７を介してベース５に固定されている。コイル１５はレンズ支持体７の外周部７ａに固定されているとともにレンズ支持体７の外周部７ａがヨーク３の内部に入り込んでおり、レンズ支持体７の外周部７ａはヨーク３のコ字隙間を移動するようになっている。
【００２０】
ベース５はヨーク３の外周面に沿って位置する外周壁５ａと、ヨーク３の後側（レンズの光軸方向の後側）に位置する基底部５ｂとを有しており、ベース５の内周側にはヨーク３が固定されている。また、基底部５ｂには後方スペーサ１７との間に後方スプリング１１の外周端部１１ｂが固定されている。
【００２１】
尚、ベース５にはその基底部５ｂにセンサホルダ１９が取り付けられている。
【００２２】
レンズ支持体７は略円筒形状であり、その内部にレンズ２０が収納されており、ヨーク３の内周側を光軸に沿って移動自在に取り付けられている。
【００２３】
レンズ支持体７の外周面には、円筒の側線方向に沿って設けた後側リブ３１が形成されており（図１及び図４参照）、後側リブ３１はヨーク３とレンズ支持体７との間の隙間に突設している。後側リブ３１は本実施の形態では、周方向に等間隔に６個形成されている。後側リブ３１を側線方向に設けることにより、断面略コ字形状のヨーク３の内周側面が光軸方向に傾斜して内周側面の内径が光軸方向の前後で異なる場合にも有効に作用させることができる。
【００２４】
前側スプリング９は略環状の板ばねであり、内周側端部９ａと外周側端部９ｂとが設けてあり、内周側端部９ａはレンズ支持体７とキャップ２４に挟持されて固定してあり、外周側端部９ｂはヨーク３とフレーム２３との間に挟持され固定してあり、外周側端部９ｂとヨーク３との間には前方スペーサ２１が介在されている。
【００２５】
フレーム２３は略円筒形状であり、ベース５の前側に取り付けてレンズ支持体７の前側周囲を覆っている。フレーム２３の内周面には係合突起（回転防止突起）３３が形成されており、この係合突起３３はキャップ２４の外周面に設けてある係合凹部（回転防止凹部）３５に係合して、周方向におけるレンズ支持体７の回転を規制している。これにより、レンズ支持体７の回転方向におけるずれや移動が防止されている。
【００２６】
更に、フレーム２３の内周面には、内周側に突設する複数の前側リブ３７が形成されており（図１及び図３参照）、各前側リブ３７は周方向に等間隔で６個設けてある。これらの前側リブ３７は、レンズ支持体７に固定されたキャップ２２とフレーム２３との隙間に突設して、レンズ支持体７の径方向の移動を規制している。
【００２７】
後側スプリング１１、前側スプリング９と略同一形状であり、略環状の板ばねである。後側スプリング１１の内周側端部１１ａはレンズ支持体７の後端に固定してあり、外周側端部９ｂはベース５の基底部５ｂと後方スペーサ１７との間に固定されている。
【００２８】
これらの前側スプリング９と後側スプリング１１とは、組み立て前の自然状態（負荷がかかっていない状態）において平坦であるが、組み付け後には、それぞれ内周側端部９ａ、１１ａが外周側端部９ｂ、１１ｂよりも前方に位置するように変形した状態で取り付けてある。これにより、ばねの復帰力（付勢力）により内周側端部９ａ、１１ａを常時ベース基板側に向けた付勢力が作用するようになっている。
【００２９】
次に、本発明にかかるレンズ駆動装置１の組み立て、作用及び効果について説明する。
組み立ては、レンズ支持体７に後側スプリング１１の内周側端部１１ａを取り付け、マグネット１３、レンズ支持体７に固定したコイル１５をヨーク３の内部に配置して、ベース５の基底部５ｂに後方スペーサ１７を介して組み付ける。その後、前方スペーサ２１とヨーク３との間に前方スプリング９の内周側端部９ａを載置してキャップ２４で固定するとともにフレーム２３をベース５に取り付けて外周側端部９ｂをフレーム２３で固定する。
【００３０】
このように組み付けたレンズ駆動装置１において、コイル１５に通電して生じる電磁力によりレンズ支持体７はヨーク３に対して光軸方向に移動する。レンズ支持体７とヨーク３との間には隙間が生じており、レンズ支持体の前側と後側とにおいて、径方向（レンズの光軸と交差する方向）の揺れや振動が生じた場合には、レンズ支持体７とヨーク３との間にある後側リブ３１が当接して、両者の相対移動を規制する。同様に、レンズ支持体７の前側では、キャップ２４とフレーム２３との間の隙間においても前方リブ３７が径方向の揺れや振動（がたつき）を規制する。
【００３１】
本発明では、レンズ支持体７の光軸方向における前側リブ３７と後側リブ３１との２箇所（２点）でレンズ支持体７の径方向の移動を規制しているから、耐揺れや耐衝撃性に優れ、且つレンズ支持体７とヨーク３との隙間に高い寸法精度が要求されることなく、簡易な構成でヨーク３に対するレンズ支持体７の光軸方向の移動を案内できる。また、部品点数が増えることなく且つ組み立ても容易にできる。
【００３２】
尚、コイル１５に通電されると、図６に示すように、電磁力によりレンズ支持体７は所定量前方に移動して、レンズの焦点距離調節が行なわれる。
【００３３】
本発明は、上述した実施の形態に限らず、本発明の要旨を逸脱しない範囲で種々変形可能である。
【００３４】
例えば、前側リブ３７、後側リブ３１、係合突起３３や係合凹部３５の形状は制限されず、種々変形可能である。
【００３５】
前側リブ３７は、キャップ２４に形成するものであってもよい。
【図面の簡単な説明】
【００３６】
【図１】本発明の実施の形態にかかるレンズ駆動装置の駆動前の状態を示す断面図である。
【図２】図１に示すレンズ駆動装置の分解斜視図である。
【図３】図２に示すフレームを拡大して示す斜視図である。
【図４】図２に示すレンズ支持体を拡大して示す斜視図である。
【図５】ヨークとレンズ支持体との関係を示す平面図である。
【図６】図１に示すレンズ駆動装置が駆動した状態を示す断面図である。
【符号の説明】
【００３７】
１      レンズ駆動装置
３      ヨーク
５      ベース
７      レンズ支持体
９      前側スプリング
１１    後側スプリング
１３    マグネット
１５    コイル
３１    後側リブ
３３    係合突起
３５    係合凹部
３７    前側リブ
【図１】
2005128405.tif 000003
【図２】
2005128405.tif 000004
【図３】
2005128405.tif 000005
【図４】
2005128405.tif 000006
【図５】
2005128405.tif 000007
【図６】
2005128405.tif 000008